【手続補正書】
【提出日】平成16年3月10日(2004.3.10)
【手続補正１】
【補正対象書類名】明細書
【補正対象項目名】００８６
【補正方法】変更
【補正の内容】
【００８６】
細長体３２０は管状壁３２５から構成されており、この管状壁３２５は細長体３２０の偏向可能部３６０、３７０、３８０の全長に沿って、連続的に延びている。一群の、即ち複数個の別々の、不連続の溝孔、又は窪み３３０を壁３２５に形成し、各窪み３３０は縦軸線に対し、横方向の細長い形状を有する。各窪み３３０は縦軸線に対し、横方向の細長い形状である。
【手続補正２】
【補正対象書類名】明細書
【補正対象項目名】０１１７
【補正方法】変更
【補正の内容】
【０１１７】
図２０において、複数個の内腔、又は通路がカテーテル体４０６の全長に沿って、軸線方向に延びている。図示の押出し部、即ちカテーテル体は３個の小さい内腔４０８、４１０、４１２と、１個の大きな内腔４１４とを有する。小さい内腔４０８、４１０、４１２はカテーテル体４０６の円形横断面のほぼ半分の部分に配置され、その内径は約0.61ｍｍ(0.024インチ) である。大きな内腔４１４は小さい内腔４０８、４１０、４１２に対向して、カテーテル体４０６の円形横断面のほぼ半分の部分に位置しているのが望ましく、その直径は約1.12ｍｍ(0.044インチ)である。内腔４０８、４１０、４１２は医療装置４００の制御構成部分（例えば図１５、及び図１６の形成素子３６５、３７５、３８５）をハンドル組立体４０４から、移植片４０２まで延在させると共に、軸４０６内に構成部分４００を保護する。以下に詳細に説明するように、制御構成部分はハンドル組立体４０４の作動運動を移植片４０２の希望する合成運動に変換する。次に説明するように、一層大きな内腔４１４を使用して、ドライバ４３６を回転可能に収容する。更に、１個、又はそれ以上の個数の内腔を使用して、冠状湾曲部の洗浄、又はその他の目的を達成してもよい。
【手続補正３】
【補正対象書類名】明細書
【補正対象項目名】０１１８
【補正方法】変更
【補正の内容】
【０１１８】
図２１、及び図２２〜２２Ｄに、移植片４０２を非常に詳細に示す。図２２は図２１の一部の拡大図で、移植片４０２内の送給組立体４０１間の釈放可能な連結を示す。上に説明したように、移植片４０２を送給組立体４０１に取り外し得るように連結し、冠状湾曲部、又はその他の身体内腔、又は中空器官内に、移植片４０２を一旦、適正に位置決めして、張力を加えた時、送給組立体４０１と、移植片４０２とを切り離すことができるようにする。
【手続補正４】
【補正対象書類名】明細書
【補正対象項目名】０１３９
【補正方法】変更
【補正の内容】
【０１３９】
ドライバホルダ５２６を通路５２０の基端内に位置させ、基端ハンドル５００と共に回転するよう、ドライバ４３６を固着する。従って、通路５２０の基端の平坦部５３０によって、掛合する平坦部５２８Ａ（図２６参照）を有するのが好適な基端ハンドル５００によって、回転するように、ドライバホルダ５２６を固着する。止めねじ５３２の構成は上述したものと同様、基端ハンドル５００に対し、軸線方向に動かないように、ドライバホルダ５２６を取り付けるように構成する。１対の止めねじ５３４、５３６によってドライバ４３６を基端ハンドル５００に対し、軸線方向に移動しないよう、また回転しないように取り付ける。従って、基端ハンドル５００を回転すれば、ドライバ４３６を回転させる。端部キャップ５３８を基端ハンドル５００の基端上に圧入し、更に、ドライバホルダ５２６を取り付ける。端部キャップ５３８は軸線方向に貫通する孔５４０を有する。孔５４０はドライバ４３６とほぼ一線をなす。
【手続補正５】
【補正対象書類名】明細書
【補正対象項目名】０１４３
【補正方法】変更
【補正の内容】
【０１４３】
医療装置４００の作動は上述の実施例のものとほぼ類似する。治療を開始する前に、ロックねじ５７０を位置決めし、移植片４０２から、送給組立体４０１が早や過ぎて、外れてしまう原因となる取外しカラー５４４の好ましくない移動を防止する。上述のような適当な方法によって、一旦、移植片４０２を冠状湾曲部内に希望するように位置決めし終われば、末端ハンドル５０２に対して、基端ハンドル５００を回転し、ドライバ４３６を回転させる。ドライバ４３６を回転すれば、対応して、ねじ４２８が回転し、上に詳細に説明したように、移植片４０２は送給形態から、改善形態に動く。ねじ４２８と、ナット４２２との間のねじ連結の方向に応じて、基端ハンドル５００の回転方向は変化する。しかし、右ねじを使用すれば、基端ハンドル５００が反時計方向に回転して、移植片４０２を送給形態から、改善形態に動かす。
【手続補正６】
【補正対象書類名】明細書
【補正対象項目名】０１５２
【補正方法】変更
【補正の内容】
【０１５２】
【図１】冠状静脈系内に配備された本発明僧帽環状形成装置の一実施例を示す心臓の線図的図面である。
【図２】図１に示す僧帽環状形成装置の移植した状態の線図的図面である。
【図２Ａ】図１に示す僧帽環状形成装置の配備した状態の線図的図面である。
【図３】経静脈送給シースの全体の一部を断面として示す図である。
【図４】一方に形成素子があり、他方に形成素子がない２つの移植片の異なる実施例と、送給シースとを線図的に示す図である。
【図５】送給シースを通じて、開放ループ形態に位置している本発明の代案の実施例を線図的に示す図である。
【図６】冠状湾曲部と連続静脈系とに位置する本発明の僧帽弁環状形成心臓補強装置の他の実施例の装置を有する心臓を線図的に示す図である。
【図７】本発明ロック装置の一実施例の線図的横断面図である。
【図８】ロック工具と共に示す、図７のロック装置の一部の部分図である。
【図９】ロックを外すアンロック工具を示す図８と同様の部分図である。
【図１０】本発明による他の装置組立体の斜視図である。
【図１１Ａ】図１０に示す装置組立体の一部分解図である。
【図１１Ｂ】図１１Ａの１１Ｂ−１１Ｂ線上の横断面図である。
【図１２Ａ】本発明による他の装置組立体の一部の分解斜視図である。
【図１２Ｂ】図１２Ａに示す装置組立体の一部の部分断面側面図である。
【図１３Ａ】図１０に示した装置組立体と同様の装置組立体を第１モードで使用している間の第１形態での末端人工器官移植領域を示す部分断面分解図である。
【図１３Ｂ】図１３Ａの装置組立体を第２モードで使用している間の第２形態での図１３Ａと同様の部分断面分解図である。
【図１４Ａ】本発明の送給組立体の線図的側面図である。
【図１４Ｂ】本発明の送組システムの線図的側面図である。
【図１５Ａ】図１４に示す装置組立体に従って、使用するようにした細長体に連結された装置組立体の末端部の一部側面図である。
【図１５Ｂ】図１５Ａの細長体の湾曲した状態を示す側面図である。
【図１５Ｃ】図１５Ｂに示す状態の細長体の１５Ｃ−１５Ｃ線に沿う横断面図である。
【図１５Ｄ】図１５Ａに示す細長体の側面図である。
【図１５Ｅ】横溝孔パターンを示す図１５Ｄの１５Ｅ−１５Ｅ線に沿う横断面図である。
【図１５Ｆ】偏向素子と細長体との間の取付け点を示す図１５Ｅの１５Ｆ−１５Ｆ線に沿う横断面図である。
【図１５Ｇ】形成素子、又は偏向素子と、細長体との間の連結を示す部分断面図である。
【図１５Ｈ】図１５Ａから図１５Ｆに示す細長体の特別な一モードにおける２個のインタロックセグメントの一部の線図である。
【図１６Ａ】図１に示す装置組立体に従って、使用するようにした一作動モードにある他の細長体に着脱自在に連結された送給組立体の末端部の側面図である。
【図１６Ｂ】図１６Ａの細長体の他のモードを示す側面図である。
【図１６Ｃ】図１６Ｂに示すモードでの図１６Ｂの１６Ｃ−６Ｃ線に沿う断面図である。
【図１６Ｄ】図１６Ａに示すモードの細長体の側面図である。
【図１６Ｅ】図１６Ｄに示す装置の底面図である。
【図１７Ａ】図１４に示す装置組立体によって、使用するようにした一作動モードにある他の細長体に連結された装置組立体の末端部の側面図である。
【図１７Ｂ】図１７Ａに示す細長体の一部を詳細に示す側面図である。
【図１７Ｃ】図１７Ｂの細長体の他のモードを示す側面図である。
【図１７Ｄ】本発明の代わりの構造の移植片の第１形態を示す側面図である。
【図１７Ｅ】図１７Ｄの移植片の第２形態を示す側面図である。
【図１８Ａ】本発明の代案の溝孔パターンを示す移植片の側面図である。
【図１８Ｂ】図１８Ａの溝孔パターンと異なるパターンを示す移植片の側面図である。
【図１９】ハンドル組立体と軸とから成る送給組立体と、僧帽弁を改善する形態の移植片とを含む代わりの医療装置の底面図である。
【図２０】図１９の医療装置を示す図１９の２０−２０線線に沿う横断面図である。
【図２１】移植片を送給組立体に取外し可能に連結するための連結組立体と移植片とを含む図１９の医療装置の一部の拡大図である。
【図２２】図２１の医療装置の連結組立体の拡大図である。
【図２２Ａ】図２２の連結組立体のおすコネクタの拡大断面図である。
【図２２Ｂ】図２２の２２Ｂ−２２Ｂ線上の断面図である。
【図２２Ｃ】図２２Ａの２２Ｃ−２２Ｃ線上の断面図である。
【図２２Ｄ】図２２の２２Ｄ−２２Ｄ線上の断面図である。
【図２３】医療装置から離して示す図１９の医療装置の送給組立体のドライバの平面図である。
【図２４】図２３のドライバの六角形末端の図２３の２４−２４線の方向に見た一部の図面である。
【図２５】図１９の医療装置のハンドル組立体の横断面図である。
【図２６】ドライバホルダを含む図２５のハンドル組立体の一部の２６−２６線に沿う断面図である。
【図２７】２７−２７線に沿う図２５のハンドル組立体の平面図である。
【図２８】図１９の移植片の溝孔パターンの平面図である。
【図２９】図２８の溝孔の構成のうちの単一の溝孔の拡大図である。
【手続補正７】
【補正対象書類名】図面
【補正対象項目名】図２２
【補正方法】変更
【補正の内容】
【図２２】
2004527277.tif 000001
【手続補正８】
【補正対象書類名】図面
【補正対象項目名】図２２Ａ
【補正方法】追加
【補正の内容】
【図２２Ａ】
2004527277.tif 000002
【手続補正９】
【補正対象書類名】図面
【補正対象項目名】図２２Ｂ
【補正方法】追加
【補正の内容】
【図２２Ｂ】
2004527277.tif 000003
【手続補正１０】
【補正対象書類名】図面
【補正対象項目名】図２２Ｃ
【補正方法】追加
【補正の内容】
【図２２Ｃ】
2004527277.tif 000004
【手続補正１１】
【補正対象書類名】図面
【補正対象項目名】図２２Ｄ
【補正方法】追加
【補正の内容】
【図２２Ｄ】
2004527277.tif 000005